(57)【要約】【課題】引戸用クローザ装置のコンパクト化を図る。【解決手段】ガイド溝５に沿って引戸２の開閉方向に移動自在に設けられたカム部材１１に突出軸１５を形成し、この突出軸１５をこのカム部材１１の回転軸とするとともに、この突出軸１５にガイド溝５に形成した退去部６にこのカム部材１１を係止する係止片の機能も持たせた。これにより、カム部材１１の回転半径を小さく抑えることができるので、このカム部材１１の端部が退去部６側に大きく突出しない。【選択図】図５
2008240273.tif 000002
【特許請求の範囲】
【請求項１】
開閉自在に支持した引戸（２）の扉枠（３）又は上記引戸（２）のいずれか一方に設けたケーシング（４）に上記開閉方向のガイド溝（５）を設け、そのガイド溝（５）に沿って移動自在のスライダ（７）を設けるとともに、そのスライダ（７）に対し水平軸周りに回転自在であるとともに上記ガイド溝（５）に嵌る突出軸（１５）を有するカム部材（１１）を設け、上記カム部材（１１）とケーシング（４）とは弾性部材（１３）で連結されるとともに、上記扉枠（３）又は上記引戸（２）の他方には上記カム部材（１１）に向かって突出するブロック部（２０）が設けられ、上記ガイド溝（５）の端部には上記開閉方向に交差する方向に伸びる退去部（６）が設けられており、
上記引戸（２）を開ける際には、上記ブロック部（２０）がカム部材（１１）に係合してそのカム部材（１１）及びスライダ（７）を上記弾性部材（１３）の弾性力に抗して開扉方向へ移動させるとともに、上記突出軸（１５）がガイド溝（５）の端部に来ると、上記ブロック部（２０）が上記カム部材（１１）をスライダ（７）に対して上記水平軸周りに回転させ、その回転とともに上記突出軸（１５）が上記退去部（６）に入り込んでその退去部（６）の内面に係合し、その位置で上記弾性部材（１３）の弾性力によりカム部材（１１）がロックされ、
上記引戸（２）を閉める際には、上記ブロック部（２０）が上記カム部材（１１）をスライダ（７）に対して上記水平軸周りに回転させ、その回転とともに上記突出軸（１５）を上記退去部（６）から離脱させるとともに、上記ブロック部（２０）がカム部材（１１）に係合してそのカム部材（１１）及びスライダ（７）を上記弾性部材（１３）の弾性力によって閉扉方向へ移動させる引戸用クローザ装置（１）において、
上記スライダ（７）に上記退去部（６）が伸びる方向と同方向に伸びる長孔（９）を形成し、その長孔（９）内に上記カム部材（１１）に設けたピン（１０）がその長孔（９）の長さ方向に沿って移動自在に嵌るとともに、上記カム部材（１１）は上記ピン（１０）を介して上記スライダ（７）に対し上記ピン（１０）の軸周りに回転自在であり、上記ブロック部（２０）が上記カム部材（１１）を回転させる際に、上記ピン（１０）が上記長孔（９）内を移動して上記突出軸（１５）を上記退去部（６）に係脱させることを特徴とする引戸用クローザ装置。
【請求項２】
上記突出軸（１５）は、上記開閉方向に伸びるガイド溝（５）に沿って誘導される平行部（１６）と、上記退去部（６）に入り込むことによりその退去部（６）の内面に係合するフック部（１７）を備え、上記ピン（１０）は、上記フック部（１７）に設けられることを特徴とする請求項１に記載の引戸用クローザ装置。
【請求項３】
上記スライダ（７）と上記ケーシング（４）とをダンパー（１４）で連結したことを特徴とする請求項１又は２に記載の引戸用クローザ装置。
【発明の詳細な説明】
【技術分野】
【０００１】
この発明は、弾性部材の弾性力によって引戸を閉扉する引戸用クローザ装置に関する。
【背景技術】
【０００２】
引戸用クローザ装置の一実施形態を図７に示して説明すると、この引戸用クローザ装置１は、引戸２の扉枠に設けたケーシング４に、開閉方向のガイド溝５が設けられ、このガイド溝５の開扉方向の端部には上記開閉方向と直角に交差して上方に伸びる退去部６が設けられている。また、このガイド溝５に沿って移動自在のスライダ７が設けられ、このスライダ７には、そのスライダ７に対し水平軸周りに回転自在であるとともにガイド溝５に嵌る水平移動軸２３及び突出軸１５を有するカム部材１１が設けられている。このカム部材１１に形成された突出部２４とケーシング４とは弾性部材１３で連結され、ガイド溝５の開閉方向に沿ってこのカム部材１１に付勢力を与える。
【０００３】
また、引戸２には、カム部材１１に向かって突出するブロック部２０が設けられ、引戸２が閉められている際には、このブロック部２０はカム部材１１に係合している。引戸２を開ける際には、ブロック部２０が、カム部材１１に係合したままこのカム部材１１及びスライダ７を弾性部材１３の弾性力に抗して開扉方向に移動させる。
【０００４】
カム部材１１の突出軸１５がガイド溝５の端部に来ると、突出軸１５は上記開扉方向への移動が不能になるとともに、ブロック部２０がこのカム部材１１を開扉方向に押して、このカム部材１１をスライダ７に対して上記水平軸周りに回転させる。この回転に伴って、突出軸１５が退去部６に入り込んでその退去部６の内面に係合し、その位置で弾性部材１３の弾性力によりカム部材１１がロックされる（図７の仮想線参照）。
【０００５】
また引戸２を閉める際は、ブロック部２０がカム部材１１をスライダ７に対して上記水平軸周りに回転させ、その回転とともに突出軸１５が退去部６から離脱する。さらにこのブロック部２０がカム部材１１に係合し、弾性部材１３の弾性力によってカム部材１１およびスライダ７が閉扉方向へ移動する。このスライダ７には弾性部材１３と平行してダンパー１４が設けられ、このダンパー１４が、上記閉扉の際に弾性部材１３の弾性力によって引戸２が加速されて勢いよく閉まるのを防止する。
【発明の開示】
【発明が解決しようとする課題】
【０００６】
図に示す引戸用クローザのカム部材には、上記ガイド溝の突出軸とともに水平移動軸が設けられ、上記水平移動軸が上記ガイド溝の開閉方向部内に嵌まり込んだ状態で上記突出軸が上記退去部に嵌まり込むことによって上記カム部材の回転がなされるため、上記水平移動軸を中心とした大きな回転半径を要する。そのため、この回転半径に対応して上記ガイド溝の上記退去部側に上記カム部材の端部が回避するためのスペースを確保する必要があり、そのスペースの分だけ、引戸用クローザ装置のコンパクト化が図れないという問題がある。
【０００７】
そこで、この発明は、引戸用クローザ装置のコンパクト化を図ることを課題とする。
【課題を解決するための手段】
【０００８】
上記の課題を解決するため、この発明は、引戸用クローザ装置においてスライダに退去部が伸びる方向と同方向に伸びる長孔を形成し、この長孔内に、カム部材に設けたピンがその長孔の長さ方向に沿って移動自在に嵌るとともに、上記カム部材は上記ピンを介して上記スライダに対し上記ピンの軸周りに回転自在とし、上記ブロック部が上記カム部材を回転させる際に、上記ピンが上記長孔内を移動して上記突出軸を上記退去部に係脱させることにしたのである。
【０００９】
この長孔は、上記ガイド溝に形成した退去部が伸びる方向と同方向に形成されているので、上記ブロック部が上記カム部材を開扉方向に押した際に、上記長孔内に嵌る上記ピンが上記退去部方向に誘導されるとともに、このピンが設けられたカム部材もこの退去部に誘導される。逆に、上記ピンが上記退去部から上記ガイド溝の水平部に戻る際、このカム部材も上記水平部に誘導される。このため、上記突出軸の上記退去部への上記係脱が円滑になされる。
【００１０】
このカム部材は上記突出軸を回転軸として回転し、しかも、この突出軸は上記退去部にこの突出軸を係止する係止片の役割を兼ねている。そのため、図に示すようにカム部材の回転軸と回転させたカム部材を係止するための軸とを別個に設ける場合と比較して、このカム部材の回転半径を小さく抑えることができる。このため、上記カム部材の端部が上記退去部側に大きく突出しない。
【００１１】
また、上記突出軸に、上記開閉方向に伸びるガイド溝に沿って誘導される平行部と、上記退去部に入り込むことによりその退去部の内面に係合するフック部とを設け、上記ピンを上記フック部に設けるようにすることもできる。
このようにすれば、上記フック部が上記退去部に係合した際に、このフック部に設けたピンが、上記スライダを介して、上記弾性部材によって閉扉方向に付勢される。この付勢によって上記退去部からフック部が外れにくい。
【００１２】
さらに、上記スライダとケーシング又は上記引戸をダンパーで連結するようにすることもできる。このようにすれば、このダンパーが、上記閉扉の際に上記弾性部材の弾性力によって引戸が加速されて勢いよく閉まるのを防止するので、この引戸に挟まれて怪我をする恐れが低い。
【発明の効果】
【００１３】
この発明によると、上記カム部材の回転軸が上記フック部を兼ねているので、上記引戸用クローザ装置のカム部材の回転半径を小さく抑えることができる。このため、引戸用クローザ装置のコンパクト化を図ることができる。
【発明を実施するための最良の形態】
【００１４】
この発明の引戸用クローザ装置１は、引戸２又は引戸２の扉枠３（例えば、図１（ａ）に示すように鴨居）に設けて使用するものである。
【００１５】
この引戸用クローザ装置１を図２及び図３に示して説明する。この引戸用クローザ装置１は、ケーシング４に、この引戸２の開閉方向のガイド溝５が形成され、この端部には、上記開閉方向と交差して上方に伸びる退去部６が形成されている。このガイド溝５にはスライダ７が設けられ、このスライダ７に形成されたスライド軸８がガイド溝５に嵌まり込むことによって、上記開閉方向にこのスライダ７が移動自在となっている。
【００１６】
このスライダ７には、退去部６と同方向に伸びる長孔９が形成され、この長孔９に設けたピン１０によって、このスライダ７に対し水平軸周りに回転自在にカム部材１１が設けられている。このピン１０は長孔９内を移動自在に設けられている。
【００１７】
また、このスライダ７にはねじ部１２が形成され、このねじ部１２にばね１３の一端が接続され、このばね１３の他端はケーシング４に固定されている。
また、ばね１３と同軸に、このねじ部１２にはダンパー１４の一端がねじ込まれ、このダンパー１４の他端もケーシング４に固定されている。
【００１８】
また、図４に示すように、カム部材１１には突出軸１５が形成され、この突出軸１５は上記開閉方向に伸びるガイド溝５に沿って誘導される平行部１６と、退去部６に入り込んでその退去部６の内面に係合するフック部１７とを備えている。この平行部１６によって、突出軸１５はケーシング４に形成されたガイド溝５及び退去部６を自在に移動できる。このフック部１７には貫通孔１８が形成され、この貫通孔１８にピンが挿入される。
さらに、このカム部材１１には係合片１９が設けられ、この係合片１９に、引戸２にカム部材１１に向かって突出して設けられたブロック部２０が係合するようになっている。
【００１９】
この引戸２を開ける際には、図５及び図６に示すように、このブロック部２０をカム部材１１の係合片１９に係合させて、そのカム部材１１及びスライダ７をばね１３の弾性力に抗して引き伸ばし、開扉方向に移動させる。カム部材１１に設けた突出軸１５がガイド溝５の端部に来ると、このブロック部２０がカム部材１１をスライダ７に対して上記水平軸周りに反時計方向に回転させる。その回転とともにこの突出軸１５が退去部６の内面に当接しながら、その退去部６に入り込んで係合する。
【００２０】
この係合の際、長孔９内を移動自在に設けられたピン１０が長孔９内の最下部から上方に移動する（図６におけるピン１０ａ→１０ｂ）ので、突出軸１５の回転中心もそれとともに、退去部６に移動する。この際、カム部材１１は、ばね１３によってこのピン１０を介して閉扉方向に付勢されているので、このばね１３の弾性力によってカム部材１１は退去部６でロックされた状態となる。
しかも、この退去部６の閉扉側に突部２１が形成されているので、この突部２１によってピン１０が退去部６から外れるのが防止され、上記ロックの効果が一層高いものとなる。このロックの強弱は退去部６及び突部２１の形状を変えて突出軸１５との係合度合いを変えることによって、適宜調節することができる。
【００２１】
また、この引戸２を閉める際には、ブロック部２０をカム部材１１の当接部２２に当接させ、このカム部材１１をスライダ７に対し上記水平軸周りに時計方向に回転させ、その回転とともに突出軸１５を退去部６から離脱させる。さらに、このブロック部２０がカム部材１１の係合片１９に係合してこのカム部材１１及びスライダ７をばね１３の弾性力によって閉扉方向に移動させる。
【００２２】
このスライダ７とケーシング４はダンパー１４で連結したので、このダンパー１４が上記閉扉の際にばね１３の弾性力によって引戸２が加速されて勢いよく閉まるのを防止し、この引戸２に挟まれて怪我をする恐れが低い。
【００２３】
この引戸用クローザ装置１においては、引戸２の扉枠側にブロック部２０を設け、引戸２側にこの引戸２の開閉方向のガイド溝５、スライダ７、及び、カム部材１１を設けるようにすることもできる。
また、壁側にこの引戸２の開閉方向のガイド溝５を設け、スライダ７に対しカム部材１１をピン１０によって垂直軸周りに回転自在に設け、このカム部材１１がガイド溝５をガイドされるようにすることもできる。
【図面の簡単な説明】
【００２４】
【図１】一実施形態の使用例を示す正面図
【図２】同実施形態の正面図
【図３】同実施形態の分解斜視図
【図４】同実施形態の要部正面図
【図５】同実施形態の作用断面図であって、（ａ）は開扉し始めた段階、（ｂ）はさらに開扉してブロック部の係止が外れた段階
【図６】同実施形態の要部作用図であって、（ａ）は開扉し始めた段階、（ｂ）はさらに開扉してブロック部の係止が外れた段階
【図７】従来法による一実施形態の作用断面図
【符号の説明】
【００２５】
１  引戸用クローザ装置
２  引戸
３  扉枠
４  ケーシング
５  ガイド溝
６  退去部
７  スライダ
９  長孔
１０  ピン
１１  カム部材
１３  弾性部材（ばね）
１４  ダンパー
１５  突出軸
１６  平行部
１７  フック部
２０  ブロック部
【図１】
2008240273.tif 000003
【図２】
2008240273.tif 000004
【図３】
2008240273.tif 000005
【図４】
2008240273.tif 000006
【図５】
2008240273.tif 000007
【図６】
2008240273.tif 000008
【図７】
2008240273.tif 000009